(57)【特許請求の範囲】
【請求項１】
リール本体と、
前記リール本体に回転自在に装着され、複数の釣り糸の太さに応じた巻き取り長さがそれぞれ設定されたスプールと、
前記スプールに巻き付けられる複数の釣り糸の長さと前記スプールの回転位置との関係に関連する情報を記憶するための記憶手段と、
前記情報に基づき前記スプールから繰り出される釣り糸の先端の水深を算出して表示可能な表示手段と、
前記スプールに前記糸巻き取り長さより短い釣り糸を巻き付ける際に装着される糸巻補助具と、備え、
前記糸巻補助具は、前記スプールの糸巻部分に着脱自在に装着される径が異なる２つ割の筒状体である複数の糸巻体を有し、小径側の糸巻体の外周面に大径側の糸巻体を装着可能である、釣り用リール。
【請求項２】
前記糸巻補助具の複数の糸巻体は、１００ｍ未満の単位で前記釣り糸の巻き取り長さが設定された前記スプールに釣り糸を巻き付ける際に前記設定された巻き取り長さより短い１００ｍ単位の長さの釣り糸を前記スプールに巻き付け可能なように、所定数の糸巻体をスプールの糸巻部分に装着したときの体積及び形状が、所定太さの釣り糸を、設定された巻き取り長さと巻き付ける釣り糸の長さとの差の長さだけ巻き付けたときの体積及び形状と同じになるように形成されている、請求項１に記載の釣り用リール。
【請求項３】
リール本体と、
前記リール本体に回転自在に装着され、複数の釣り糸の太さに応じた巻き取り長さがそれぞれ設定されたスプールと、
前記スプールに巻き付けられる複数の釣り糸の長さと前記スプールの回転位置との関係に関連する情報を記憶するための記憶手段と、
前記情報に基づき前記スプールから繰り出される釣り糸の先端の水深を算出して表示可能な表示手段と、
前記スプールに前記糸巻き取り長さより短い釣り糸を巻き付ける際に装着される糸巻補助具と、備え、
前記糸巻補助具は、前記スプールの糸巻部分に巻き付可能であり、複数の目印が間隔を隔てて付された糸状体を有し、該複数の目印は、糸状体をスプールの糸巻部分に所定の目印まで巻き付けたときの体積及び形状が、所定太さの釣り糸を、設定された巻き取り長さと巻き付ける釣り糸の長さとの差の長さだけ巻き付けたときの体積及び形状と同じになるように、異なる釣り糸の太さ及び／又は長さに対応して設けられている、釣り用リール。
【請求項４】
前記水深表示手段は、前記複数の釣り糸のいずれかから選択された釣り糸の長さと前記スプールの回転位置とを前記記憶手段から読み出して前記釣り糸の先端の水深を表示する、請求項１から３のいずれか１項に記載の釣り用リール。
【発明の詳細な説明】
【０００１】
【発明の属する技術分野】
本発明は、釣り糸の太さに応じた巻き取り長さが設定されたスプールに巻き付けられる釣り糸の長さとスプールの回転位置との関係よりスプールから繰り出される釣り糸の先端の水深を表示可能な釣り用リールに関する。
【０００２】
【従来の技術】
両軸受リールや片軸受リール等の釣り用リールにおいて、スプールから繰り出された釣り糸の長さにより仕掛けの水深を表示する水深表示装置を備えたものが知られている（特開平２−１０７９０８号）。この水深表示装置を設けることで仕掛けを正確に同じ棚位置に下ろしたり、投げ釣り時に仕掛けの飛距離を表示できる。
【０００３】
この種の水深表示装置は、スプール回転時のスプールから繰り出された糸長を計測する糸長計測部と、糸長計測部で計測された糸長により水深を表示するたとえば液晶ディスプレイからなる水深表示部とを有している。糸長計測部は、スプールの回転数から糸長を算出している。なお、スプールの糸巻径は、スプールへの巻き初めからの回転数や糸の太さに応じて変化し、スプール１回転あたりの糸長は糸巻径により変化する。したがって、従来、スプール回転数や糸の太さを考慮してスプール回転数から糸長を算出するようにしている。
【０００４】
具体的には、リールにスプール回転位置を検出するためのスプールセンサを設けるとともに、スプールの釣り糸巻取部分の外周に接触する糸長検出器をリールに装着する。そして、糸巻可能径までスプールに釣り糸を巻き付けるときに、糸長検出器で計測された実際の糸長とスプールセンサにより検出されたスプール回転位置（スプール回転数）との関係を所定の間隔で学習する。そして、学習された関係、つまり糸巻開始時から糸巻可能径までの糸長とスプール回転位置との関係をリール内部のメモリに記憶する。
一方、魚釣り時には、糸長検出器を外し、スプールセンサによりスプール回転位置を検出し、その回転数での糸長をメモリから読み出し、スプール回転位置から糸長を算出している。
【０００５】
また、釣り糸の太さ（号数）、種類（材質）及び長さが指定された釣り糸のデータを予めメモリに記憶したものもある。この場合、たとえば、スプールの糸巻可能径まで釣り糸を巻き付けたときの釣り糸の太さ（号数）毎のスプール回転位置と糸長との関係又はその関係を表した計算式のパラメータが予めメモリに記憶されている。
【０００６】
一方、スプールの糸巻可能径まで釣り糸を巻き付けたときの釣り糸の長さ（糸巻量）は、釣り糸の太さによって変化する。糸巻量は、糸巻部分の体積や糸案内ピッチによって決まるが、全ての号数の釣り糸に対してきっちりとした数字にはならない。たとえば、ある号数では３００ｍになったとしても、それより太い号数の釣り糸に対しては２２０ｍとか１４５ｍとかの端数が出ることがある。釣り糸は、一般に１００ｍ単位で販売されることが多いため、このような端数が出ると、余分に釣り糸を購入して余りを捨てるという無駄が生じる。この無駄を防止するために、足りない分は下巻糸を使用することで補っている。この下巻糸は、通常、新たに巻き付ける釣り糸より太い釣り糸を使用する。
【０００７】
【発明が解決しようとする課題】
しかし、水深表示機能を有する釣り用リール、特に、種類、釣り糸のデータが予めメモリに記憶されている釣り用リールのスプールに下巻糸を巻き付ける場合、足りない分をどこまで巻けばよいのかが分かり難い。下巻糸と新たに巻き付ける釣り糸との太さや種類が異なるとそのことが特に顕著になり準備作業が煩わしい。また、同じ太さ種類の釣り糸を巻き付ける場合にも、巻き付ける下巻糸の長さを測らなければならず、準備作業が煩わしい。
【０００８】
本発明の課題は、水深表示可能な釣り用リールのスプールに、糸巻可能径まで煩わしい準備作業を行うことなくかつ端数を出さないように太さが異なる複数の釣り糸を簡単に巻き付けることができるようにすることにある。
【０００９】
【課題を解決するための手段】
発明１に係る釣り用リールは、リール本体と、スプールと、記憶手段と、表示手段と、糸巻補助具とを備えている。スプールは、リール本体に回転自在に装着され、複数の釣り糸の太さに応じた巻き取り長さがそれぞれ設定されている。記憶手段は、スプールに巻き付けられる複数の釣り糸の長さとスプールの回転位置との関係に関連する情報を記憶するための手段である。表示手段は、情報に基づきスプールから繰り出される釣り糸の先端の水深を算出して表示可能な手段ある。糸巻補助具は、スプールに糸巻き取り長さより短い釣り糸を巻き付ける際に装着される補助具である。糸巻補助具は、スプールの糸巻部分に着脱自在に装着される径が異なる２つ割の筒状体である複数の糸巻体を有し、小径側の糸巻体の外周面に大径側の糸巻体を装着可能である。
【００１０】
この釣り用リールでは、複数の糸巻体を順次装着していくだけで、太さに応じて設定された巻き取り長さが異なる複数の釣り糸に対しても対応できるようになる。このため、太さが異なる複数の釣り糸に対して糸巻可能径まで端数を出すことなく簡単に釣り糸を巻き付けできる。
【００１１】
発明２に係る釣り用リールは、発明１に記載のリールにおいて、糸巻補助具の複数の糸巻体は、１００ｍ未満の単位で釣り糸の巻き取り長さが設定されたスプールに釣り糸を巻き付ける際に設定された巻き取り長さより短い１００ｍ単位の長さの釣り糸をスプールに巻き付け可能なように、所定数の糸巻体をスプールの糸巻部分に装着したときの体積及び形状が、所定太さの釣り糸を、設定された巻き取り長さと巻き付ける釣り糸の長さとの差の長さだけ巻き付けたときの体積及び形状と同じになるように形成されている。
【００１２】
発明３に係る釣り用リールは、リール本体と、スプールと、記憶手段と、表示手段と、糸巻補助具とを備えている。スプールは、リール本体に回転自在に装着され、複数の釣り糸の太さに応じた巻き取り長さがそれぞれ設定されている。記憶手段は、スプールに巻き付けられる複数の釣り糸の長さとスプールの回転位置との関係に関連する情報を記憶するための手段である。表示手段は、情報に基づきスプールから繰り出される釣り糸の先端の水深を算出して表示可能な手段ある。糸巻補助具は、スプールに糸巻き取り長さより短い釣り糸を巻き付ける際に装着される補助具である。糸巻補助具は、スプールの糸巻部分に巻き付可能であり、複数の目印が間隔を隔てて付された糸状体を有し、該複数の目印は、糸状体をスプールの糸巻部分に所定の目印まで巻き付けたときの体積及び形状が、所定太さの釣り糸を、設定された巻き取り長さと巻き付ける釣り糸の長さとの差の長さだけ巻き付けたときの体積及び形状と同じになるように、異なる釣り糸の太さ及び／又は長さに対応して設けられている。
【００１３】
この釣り用リールでは、糸状体をスプールに巻き付けて巻き付ける釣り糸の太さや長さに応じて糸状体に設けられた目印の場所で釣り糸の先端を糸状体に結ぶ。そして、糸状体をスプールに巻き付けると、設定された巻き取り長さと実際の巻き取り長さとの差の釣り糸を巻き付けた状態になる。このため、水深表示可能な釣り用リールのスプールの糸巻可能径まで煩わしい準備作業を行わなくても端数を出さないように釣り糸を簡単に巻き付けることができるようになる。したがって、太さが異なる複数の釣り糸に対して糸巻可能径まで端数を出すことなく簡単に釣り糸を巻き付けできる。
【００１４】
発明４に係る釣り用リールは、発明１から３のいずれかに記載のリールにおいて、水深表示手段は、複数の釣り糸のいずれかから選択された釣り糸の長さとスプールの回転位置とを記憶手段から読み出して釣り糸の先端の水深を表示する。
【００１５】
【発明の実施の形態】
＜発明を説明するための基本構成＞
図１に示す本発明を説明するための基本構成による糸巻補助具５０は、スプール１０に装着可能な内径を有する合成樹脂製又は金属製の筒状の部材である。スプール１０は、筒状の糸巻胴部１０ａと糸巻胴部１０ａの両端に一体で形成されたフランジ部１０ｂとを有している。この糸巻胴部１０ａに釣り糸を糸巻可能径（通常はフランジ部１０ｂの直径）まで釣り糸を巻き付けたとき、スプール１０には、たとえば、４号の釣り糸を４００、５号を３５０、６号を３００ｍ，８号を２００ｍ巻き付け可能である。
【００１６】
糸巻補助具５０は、半円形の半筒体５０ａ，５０ｂを有する２つ割の筒状体である。各半筒体５０ａ，５０ｂの割部分には、凹凸嵌合部５０ｃ，５０ｄが形成されており、両半筒体５０ａ，５０ｂが径方向に位置決めされるように構成されている。
【００１７】
ここで、たとえば、糸巻補助具５０は、５号の釣り糸を５０ｍ分スプール１０に巻き付けたときと実質的に同じ体積及び形状となるように形成されている。５号の釣り糸をスプール１０に巻き付ける際に糸巻胴部１０ａに糸巻き可能径いっぱいまで釣り糸を巻き付けると３５０ｍ巻き付けできるため、５０ｍの端数がでる。このため５号の釣り糸をスプール１０に巻き付ける場合、１００ｍ単位で売られている釣り糸を４００ｍ分購入し、それを５０ｍ分捨てなければならない。しかし、上記のような糸巻補助具５０を用いると、この体積が５号の釣り糸を糸巻胴部１０ａから５０ｍ巻き付けたときと同じ体積及び形状となるように形成されているので、３００ｍの釣り糸で糸巻可能径まで巻き付けることができる。このため、１００ｍ単位で釣り糸を巻き付けることができ、釣り糸を余分に購入する必要がなくなる。
【００１８】
この糸巻補助具５０が装着される本発明に係る電動リールは、図２に示すように、糸繰り出し長さ（又は糸巻取り長さ）により水深を表示する水深表示部を有するリールである。電動リールは、釣り竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１９】
リール本体１は、左右１対の側板７ａ，７ｂとそれらを連結する複数の連結部材８とからなるフレーム７と、フレーム７の左右を覆う左右の側カバー９ａ，９ｂとを有している。ハンドル２側（図１の右側）の側カバー９ｂには、ハンドル２の回転軸が回転自在に支持され、ハンドル２と逆側（図１の左側）の側カバー９ａには、外部電源ＰＳ接続用の電源コード１８を接続するためのコネクタ１９が設けられている。
【００２０】
リール本体１の内部には、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側側面には、ハンドル２及びモータ１２とスプール１０との駆動伝達をオンオフするクラッチ（図示せず）の操作レバー１１が配置されている。このクラッチをオンすると、仕掛けの自重による糸繰り出し中に、糸繰り出し動作を停止できる。
【００２１】
また、リール本体１の内部には、図２及び図３に示すように、スプール１０に連動して動作するレベルワインド機構１３やハンドル２の回転をスプール１０に伝達する伝達機構（図示せず）等が設けられている。
【００２２】
リール本体１の上部には、図２及び図３に示すようにカウンタケース４が固定されている。カウンタケース４は、リール本体１の上部に配置され、上面に表示開口２０ａが形成されたケース本体２０と、ケース本体２０の下面を閉塞する底蓋部材２１とを有している。
【００２３】
ケース本体２０は、たとえば合成樹脂成型品であり、リール本体１の上部に連続して湾曲した滑らかな外周面を有している。表示開口２０ａは透明樹脂製の表示窓２２により閉塞されている。
【００２４】
底蓋部材２１は、たとえばアルミニウム合金等の導電金属を成型して得られた板状の部材であり、ネジによりケース本体２０に取り付けられている。
カウンタケース４の上面には、図４に示すように、表示窓２２を介して仕掛けの水深や棚位置を水面からと底からとの２つの基準で表示するための液晶ディスプレイからなる水深表示部５が臨んでおり、水深表示部５の周囲には操作キー部６が設けられている。
【００２５】
水深表示部５は、中央に配置された４桁の７セグメント表示の水深表示領域５ａと、その下方に配置された３桁の底水深表示領域５ｂと、水深表示領域５ａの図４右側に配置された変速段数表示領域５ｃとを有している。また、水深表示部５には、「底から」、「学習」、「指定」、「下巻」、「修正」、「入力」、「糸送止」、「０セット」の８つの文字を表示可能である。「底から」の文字は、水深表示モードが底からモードの時に表示される。底からモードとは、仕掛けの水深を底基準で表示するモードである。なお、通常は、仕掛けの水深は水面基準（上からモード）で表示される。また、「学習」〜「入力」までの文字は、糸巻モードの種類を示しており、いずれかが択一的に選択されると選択された糸巻モードの文字が表示される。
【００２６】
操作キー部６は、水深表示部５の図１右側に上下に並べて配置された変速キーＳＫ及びモータキーＰＷと、右側に上下に並べて配置された底メモキーＳＭ及びモードキーＭＤとを有している。
【００２７】
モータキーＰＷは、モータ１２をオンオフするとともに、オン時間によりモータ１２を増速するためのトグルスイッチである。
【００２８】
変速キーＳＫは、駆動されたモータ１２を増減速するためのキーであり、上下の２つのスイッチと中立位置とを有するシーソー型のスイッチである。この変速キーＳＫの上スイッチを押すと増速し下スイッチを押すと減速する。また、モータ１２を駆動していないときに上スイッチを所定時間以上押すと表示モードを「上から」と「底から」との間で切り替えできる。また、下スイッチを所定時間以上押すと糸送りモード（繰り出し時にクラッチを切った状態でモータ１２を駆動させて糸送り速度を速くするモード）をオンオフできる。
【００２９】
底メモキーＳＭは、仕掛けが底に到達したときに押されるスイッチであり、そのときの水深が底として設定される。この底メモキーＳＭを所定時間以上押すと、釣り糸が切れたときになどに水深表示の０点を新たな位置にセットできる。
モードキーＭＤは、５種の糸巻モードを設定するためのスイッチであり、たとえばこれを１回押すと学習モードに設定され、２回連続して押すと指定モード、３回連続して押すと下巻モード、４回連続して押すと修正モード、５回連続して押すと入力モードにそれぞれ糸巻モードが設定される。
【００３０】
ここで、学習モードは、糸径や長さが未知の釣り糸をスプールに１０に巻き付ける際に使用される糸巻モードであり、糸巻き付け最終部分でのスプール回転数とスプール１回転当たりの糸長との相関関係を学習して釣り糸全長にわたるスプール回転数と１回転当たりの糸長との関係を求めるために使用されるモードである。
指定モードは、記憶部４３内に用意された種類、号数及び長さの釣り糸をスプールに巻き付けるときに使用されるモードである。この指定モードでは、たとえば、ポリエチレンマルチフィラメント素材の４号４００ｍ分のデータと、５号３５０ｍ分のデータとが予め記憶部４３内の所定のエリアに記憶されている。
【００３１】
下巻モードは、あらかじめ指定された糸巻径まで下糸を巻いた後に糸径や長さが未知の釣り糸を巻き付ける際に使用されるモードである。この下巻モードは、巻き付け開始時の糸巻径が異なるだけで基本的には学習モードと同じ考えで学習を行う。
修正モードは、テンションなどにより表示がずれたときにずれを補正するために使用されるモードであり、学習モードで得られた一次直線全体の傾きを再計算できるように構成されたモードである。入力モードは、スプール総回転数と所定距離繰り出し距離を任意に編集できるように構成されたモードである。
【００３２】
カウンタケース４内の上部には、図３に示すように、水深表示部５と、表示制御及びモータ制御を行うリール制御部３０とが配置されている。カウンタケース４内の下部にはモータ１２をＰＷＭ駆動するＰＷＭ駆動回路３１が配置されている。
リール制御部３０は、カウンタケース４内に配置されたＣＰＵ，ＲＡＭ，ＲＯＭ，Ｉ／Ｏインターフェイス等を含むマイクロコンピュータを含んでいる。リール制御部３０は、制御プログラムに従って水深表示部５の表示制御やモータ駆動制御等の各種の制御動作を実行する。リール制御部３０には、図５に示すように、操作キー部６の各種のキーとスプール１０の回転方向及び回転数（回転位置データ）を検出するためのスプールセンサ４１とスプールカウンタ４２とが接続されている。また、リール制御部３０には、ブザー４０とＰＷＭ駆動回路３１と水深表示部５と記憶部４３と他の入出力部とが接続されている。
ＰＷＭ駆動回路３１は、モータ１２を駆動するための駆動素子としてのＦＥＴ３２を含んでいる。ＰＷＭ駆動回路３１は、リール制御部３０によりデューティ比が制御されてモータ１２の速度を可変に駆動する。
【００３３】
スプールセンサ４１は、図２に示すように前後に並べて配置された２つのリードスイッチ４１ａ，４１ｂから構成されている。リードスイッチ４１ａ，４１ｂは、スプール１０に連動して回転する磁石（図示せず）を検出する。この検出パルスをスプールカウンタ４２で計数することでリールの回転数（回転位置）を検出できる。また、いずれのリードスイッチ４１ａ，４１ｂが先に検出パルスを発したかによりスプール１０の回転方向を検出できる。
【００３４】
スプールカウンタ４２は、スプールセンサ４１のオンオフ回数を計数するカウンタであり、この計数値ＳＰによりスプール回転数に関する回転位置データが得られる。スプールカウンタ４２は、スプール１０が正転（糸繰り出し方向の回転）すると計数値が減少し、逆転すると増加する。
【００３５】
記憶部４３はたとえばＥＥＰＲＯＭ等の不揮発メモリからなり、学習結果のデータや糸長算出時に使用する各種のデータ等が水深表示用のエリアに記憶されている。また、指定モードで使用される４号及び５号の釣り糸のデータが水深表示用のエリアと異なる所定の記憶エリアに記憶されている。
【００３６】
次に本実施形態における糸長算出方法の概略を説明する。
【００３７】
本発明では、スプール１回転当たりの糸長Ｙとスプール回転数Ｘとの関係を一次直線に近似させることができることを利用して糸長Ｌを算出している。
【００３８】
太さと全長が不明な釣り糸を糸巻径Ｂｍｍからスプール１０に層状に巻き付けていき、ｃ回転で全ての釣り糸を巻き終わったとする。次に、その状態からＳｍｍ釣り糸を繰り出したとき、スプール１０がｄ回転したとする。
【００３９】
いま、スプール回転数Ｘとスプール１回転当たりの糸長Ｙとの関係を、横軸にスプール回転数Ｘを、縦軸にスプール１回転当たりの糸長をとると、一次直線で定義できるので、傾きをＡとすると、下記式で表せる。
【００４０】
Ｙ＝ＡＸ＋Ｂπ （１）
したがって、スプール回転数Ｘとスプール１回転当たりの糸長Ｙとの関係を示すグラフは、図６に示すようになる。
【００４１】
いま、スプール１０がｃ回転したときのスプール１回転当たりの糸長をＹ（ｃ），ｃ回転の巻き取り後、所定長さＳ繰り出してｄ回転したときのスプール１回転当たりの糸長をＹ（ｃ−ｄ）とすると、これらは以下のように表せる。
【００４２】
Ｙ（ｃ）＝Ａ・ｃ＋Ｂπ（２）
Ｙ（ｃ−ｄ）＝Ａ・（ｃ−ｄ）＋Ｂπ（３）
図６に示すグラフでは、ハッチングで示す台形の面積が巻き付け終了後の糸繰り出し長さＳに相当しているので、糸繰り出し長さＳは以下のように表せる。
【００４３】
Ｓ＝ｄ・｛Ｙ（ｃ）＋Ｙ（ｃ−ｄ）｝／２（４）
（４）式に（２），（３）式を代入すると、
Ｓ＝ｄ・｛Ａ・ｃ＋Ｂπ＋Ａ・（ｃ−ｄ）＋Ｂπ｝／２
＝ｄ・｛Ａ・（２ｃ−ｄ）＋２Ｂπ｝／２（５）
（５）式を傾きＡについて解くと以下のようになる。
【００４４】
Ａ＝２（Ｓ−Ｂπｄ）／ｄ（２ｃ−ｄ）（６）
したがって、４つのデータＳ，Ｂ，ｃ，ｄを（６）式に代入することにより一次直線の傾きＡを求めることができることがわかる。
【００４５】
たとえば、スプール１０が巻き初めから２０００回転で巻終わり、そこから１０ｍ繰り出したときにスプールが６０回転した場合、スプール１０の糸巻胴径（糸巻径）が３０ｍｍであったとすると、一次直線の傾きＡは下記のようになる。
Ａ＝２（１００００−９４．２＊６０）／６０（２＊２０００−６０）
＝０．０３６８
そして、傾きＡ，切片Ｂπの近似の一次直線が決定できれば、算出された傾きＡと切片Ｂπと総回転数ｃと現在回転数における糸長と０セットの回転数（最初は総回転数と同じ）とを記憶部４３の水深表示用のエリアに記憶する。そして実釣り時にスプール１０が回転すると、所定のタイミング（たとえばスプール２０回転毎に）で、記憶されたデータを読み出し一次直線を積分処理（面積算出処理）することでそのときの糸長ＬＮを求めることができる。そして求めた糸長ＬＮに基づいて仕掛けの水深（釣り糸先端の水深）を水深表示部５に表示する。
【００４６】
なお、記憶部４３内には、前述したように、たとえは４号４００ｍ及び５号３５０ｍの釣り糸のデータが所定のエリアに記憶されている。具体的には、傾きＡと切片Ｂπと総回転数ｃと０セット回転数のデータとが予め格納されている。指定モードで釣り糸の太さ（号数）が決定されると、これらの記憶されたデータが水深表示用のエリアにセットされ、セットされたデータに基づいて糸長がＬＮが求められ水深が表示される。
【００４７】
次に、リール制御部３０によって行われる具体的な制御処理を、図７以降の制御フローチャートに従って説明する。
【００４８】
電動リールが電源コード１８を介して外部電源ＰＳに接続されると、ステップＳ１において初期設定を行う。この初期設定ではスプールカウンタ４２の計数値をリセットしたり、各種の変数やフラグをリセットしたり、水深表示モードを上からモードに設定する。
次にステップＳ２では表示処理を行う。表示処理では、水深表示等の各種の表示処理を行う。ここで、上からモードのときには、水深表示領域５ａに水面基準の水深が表示される。また、底メモキーＳＭにより底位置がセットされていると底位置が底水深表示領域５ｂに表示される。
【００４９】
ステップＳ３では、操作キー部６のいずれかのキーが押されたか否かを判断する。またステップＳ４ではスプール１０が回転しているか否かを判断する。この判断は、スプールセンサ４１の出力により判断する。ステップＳ５ではその他の指令や入力がなされたか否かを判断する。
【００５０】
キー入力がなされた場合にはステップＳ３からステップＳ６に移行してキー入力処理を実行する。またスプール１０の回転が検出された場合にはステップＳ４からステップＳ７に移行する。ステップＳ７では各動作モード処理を実行する。
その他の指令あるいは入力がなされた場合にはステップＳ５からステップＳ８に移行して他の処理を実行する。
【００５１】
ステップＳ６のキー入力処理では、図８のステップＳ１１で糸巻モードが設定されたか否かを判断する。この判断は、モードキーＭＤが押されたか否かにより判断する。ステップＳ１２では、モータキーＰＷが押されているか否かを判断する。ステップＳ１３では、変速キーＳＫの上スイッチが押されているか否かを判断する。ステップＳ１４では、変速キーＳＫの下スイッチが押されているか否かを判断する。ステップＳ１５では、他のキーが操作されたか否かを判断する。この他のキーの操作には底メモキーＳＭの他に各キーの所定時間以上の操作も含んでいる。
【００５２】
モードキーＭＤが押されるとステップＳ１１からステップＳ１６に移行する。ステップＳ１６では、糸巻モードを実行する。この糸巻モードは、前述したように学習モード、指定モード、下巻モード、修正モード、入力モードである。
【００５３】
モータキーＰＷが押されるとステップＳ１２からステップＳ１７に移行する。ステップＳ１７では、モータ制御処理を実行する。このモータ制御処理では、モータ１２が回転していないときには、モータキーＰＷが押されるとモータ１２をオンしそのモータキーＰＷのオン時間だけデューティ比を徐々に大きくしてモータ１２の回転を増加させる。モータ１２が回転しているときにはモータ１２をオフする。なお、モータキーＰＷは、モータ１２回転中に手を離すとそのときの回転を維持する。このことは変速キーＳＫでも同様である。
【００５４】
変速キーＳＫの上スイッチが押されると、ステップＳ１３からステップＳ１８に移行する。ステップＳ１８では、そのオン時間だけデューティ比を徐々に大きくしてモータ１２の回転を増加させる。変速キーＳＫの下スイッチが押されると、ステップＳ１４からステップＳ１９に移行する。ステップＳ１９では、そのオン時間だけデューティ比を徐々に小さくしてモータ１２の回転を減少させる。
【００５５】
他のキー入力がなされると、ステップＳ１５からステップＳ２０に移行し、たとえば、現在の水深の底棚値にセットするなどの操作されたキー入力に応じた他のキー処理を行う。
【００５６】
ステップＳ１６の糸巻モード処理では、図９のステップＳ２１〜Ｓ２５で「学習」，「指定」，「下巻」，「修正」，「入力」のいずれの糸巻モードが指定されたか否かを判断する。
学習モードと判断すると、ステップＳ２１から図１０のステップＳ３３に移行する。ステップＳ３３では、スプール１０への糸巻取りを開始したか否かを判断する。この判断は、スプールセンサ４１によりスプール１０が回転を開始したことを検出することにより判断する。ステップＳ３４では、糸巻取りが終了したか否かを判断する。この判断は、所定のキー操作（たとえば底メモキーＳＭの所定時間以上の操作）がなされたか否かにより判断する。糸巻取りが終了した後、たとえば１０ｍ釣り糸を繰り出してスプール回転数とスプール１回転当たりの糸長との関係を学習するのであるが、ステップＳ３５では、その１０ｍの繰り出しが終了したか否かを判断する。この判断も所定のキー操作がなされたか否かにより判断する。なお、ポリエチレンマルチフィラメント素材の釣り糸のようにたとえば１０ｍ毎に異なる色づけがなされている場合には、上記繰り出し操作が行える。しかし、ナイロンモノフィラメント素材の釣り糸のように色づけがなされていない場合には、１０ｍの釣り糸を先端に結んでさらに１０ｍ釣り糸を巻き取って学習処理してもよい。繰り出しが終了していない場合には、ステップＳ３３に戻る。
【００５７】
糸巻取りが開始されるとステップＳ３３からステップＳ３６に移行する。ステップＳ３６では、スプール回転数Ｘをスプールカウンタ４２の値に応じて増加させる。たとえば、スプールセンサ４１がスプール１回転当たり１０パルス出力し、スプールカウンタ４２がスプール１回転当たり１０ずつ増加するときには、スプールカウンタ４２が１０増加するとスプール回転数Ｘを１増加する。
【００５８】
糸巻取りが終了してスプール１０の回転が停止するとステップＳ３４からステップＳ３７に移行する。ステップＳ３７では、巻き取り完了したときのスプール回転数Ｘを総回転数ｃにセットする。ステップＳ３８では、釣り糸の繰り出しにに応じてスプール回転数Ｘを減じていく。この減算もステップＳ３６と同様にたとえばスプールカウンタ４２が１０ずつ減じていくとスプール回転数Ｘを１減少させる。
糸繰り出しが終了するとステップＳ３５からステップＳ３９に移行する。ステップＳ３９では、スプール総回転数ｃから繰り出しにより減少したスプール回転数Ｘを減算し、減算値を繰り出し回転数ｄにセットする。この繰り出し回転数ｄが１０ｍ釣り糸を繰り出したときのスプール１０の回転数である。ステップＳ４０では、記憶部４３から糸巻径Ｂπ及び繰り出し長さＳを読み出す。この２つのデータは、あらかじめ記憶部４３に書き込まれている。
【００５９】
ステップＳ４１では、得られた４つのデータｃ，ｄ，Ｂπ，Ｓにより上記（６）式により近似一次直線の傾きＡを求め、近似一次直線を算出する。これにより、糸径及び長さが未知の釣り糸の全長にわたる、スプール１回転長さＹとスプール回転数Ｘとの相関関係が決定される。
【００６０】
ステップＳ４２では、得られた一次直線を総回転数ｃの時点で積分処理して巻き初めから巻終わりまでの糸長ＬＮを算出する。そして、糸長ＬＮを水深０にセットする。ステップＳ４３では、総回転数ｃ，切片Ｂπ，得られた傾きＡ及び糸長ＬＮを記憶部４３の水深表示用のエリアに記憶する。これらの処理が終了するとキー入力ルーチンに戻る。
指定モードと判断されるとステップＳ２２からステップＳ２６に移行する。指定モードでは、所定のキー操作により４号又は５号が選択される。ステップＳ２６では、４号の釣り糸が選択されたか否かを判断する。４号の釣り糸が選択された場合にはステップＳ２７に移行し、記憶部４３の所定エリアに記憶されたデータを読み出して記憶部４３の水深表示エリアにセットする。４号の釣り糸が選択されなかった場合には５号の釣り糸が選択されたと判断できるので、ステップＳ２８に移行して５号のデータをセットする。
この指定モードで５号の釣り糸が選択された場合に、糸巻補助具５０をスプール１０に装着すると、５号の釣り糸３００ｍを糸巻補助具５０に巻き付けるだけで、学習することなく水深表示用のデータがセットされる。
【００６１】
下巻モードと判断されると、ステップＳ２３からステップＳ２９に移行する。ステップＳ２９では、切片Ｂπの値をＢ１πに変更する。糸巻径Ｂ１は、図２に示すようにスプール１０のフランジ部１０ｂにリング状にマークされている。この糸巻径Ｂ１まで下巻糸を巻くと、太さが細い釣り糸でもそれほど長く巻く必要がなくなる。すなわち、下巻モードでは、糸巻胴部１０ａより大径の切片Ｂ１から一次直線を算出するので、太さや長さが未知の細い釣り糸を短い長さ巻くのに便利である。
【００６２】
修正モードと判断されると、ステップＳ２４からステップＳ３７に移行し、そのときのスプール回転数Ｘを総回転数ｃにセットし、ステップＳ３８以降の処理を実行する。これにより前述した処理が実行され、張力の作用等により先に学習された相関関係がずれても、釣り糸全体にわたる学習を行うことなく最終部分のみの学習で一次直線の傾きを補正できる。
【００６３】
入力モードと判断されると、ステップＳ３０に移行する。ステップＳ３０では、糸繰り出し長さ（１０ｍ）やスプール総回転数の編集処理を行う。
ステップＳ７の各動作モード処理では、図１１のステップＳ５１でスプール１０の回転方向が糸繰り出し方向か否かを判断する。この判断は、スプールセンサ４１のいずれのリードスイッチ４１ａ，４１ｂが先にパルスを発したか否かにより判断する。スプール１０の回転方向が糸繰り出し方向と判断するとステップＳ５１からステップＳ５２に移行する。ステップＳ５２では、スプール回転数Ｘを１ずつ減少させる。このステップは、図１０のステップＳ３８と同様である。ステップＳ５３では、減少する毎に記憶部４３の水深表示エリアに記憶されたデータを読み出し、スプール回転数Ｘから積分処理により現在の糸長ＬＮを算出し水深ＬＸを算出する。この水深がステップＳ２の表示処理で表示される。ステップＳ５３では、得られた水深ＬＸが底位置に一致したか、つまり、仕掛けが底に到達したか否かを判断する。底位置は、前述したように仕掛けが底に到達したときに底メモキーＳＭを押すことで記憶部４３にセットされる。ステップＳ５４では、他のモードか否かを判断する。他のモードではない場合には、各動作モード処理を終わりメインルーチンに戻る。
【００６４】
水深が底位置に一致するとステップＳ５３からステップＳ５５に移行し、仕掛けが底に到達したことを報知するためにブザー４０を鳴らす。他のモードの場合には、ステップＳ５４からステップＳ５６に移行し、指定された他のモードを実行する。
【００６５】
スプール１０の回転が糸巻取り方向と判断するとステップＳ５１からステップＳ５７に移行する。ステップＳ５７では、スプール回転数を１ずつ増加させる。ステップＳ５８では、増加する毎に記憶部４３の水深表示エリアに記憶されたデータを読み出し、スプール回転数Ｘから積分処理により現在の糸長ＬＮを算出し、水深ＬＸを算出する。この水深がステップＳ２の表示処理で表示される。ステップＳ５９では、水深が船縁停止位置に一致したか否かを判断する。船縁停止位置まで巻き取っていない場合にはメインルーチンに戻る。船縁停止位置に到達するとステップＳ５９からステップＳ６０に移行する。ステップＳ６０では、仕掛けが船縁にあることを報知するためにブザー４０を鳴らす。ステップＳ６１では、モータ１２をオフする。これにより魚が釣れたときに取り込みやすい位置に魚が配置される。この船縁停止位置は、たとえば水深６ｍ以内で所定時間以上スプール１０が停止しているとセットされる。
【００６６】
ここでは、未知の釣り糸のスプール回転数と糸長との関係を補正するための学習を釣り糸の略最終糸巻部分の短い糸長でのみ行っているので、糸長検出器を装着することなく、糸長を計測することができる。しかも、釣り糸に張力が作用して表示と実際の水深とがずれても簡単な演算で表示された水深を正しい値に補正できる。また、糸巻補助具５０を使用して指定モードで５号の釣り糸を巻き付ければ、たとえば１００単位でスプール１０の糸巻可能径まで確実に巻き付けできるとともに、学習することなく正確な水深表示データが得られる。
【００６７】
＜第１実施形態＞
図１２に示すように、糸巻補助具６０を直径が異なる複数の筒状体で構成してもよい。この糸巻補助具６０は、直径が異なる第１，第２，第３糸巻体６１，６２，６３を有している。各糸巻体６１〜６３は、それぞれ半円形の半筒体６１ａ〜６３ａ，６１ｂ〜６３ｂを有する２つ割の筒状体である。第１糸巻体６１は一番小径の筒状体であり、スプール１０に直接装着可能である。第２糸巻体６２は第１糸巻体の外周面に装着可能な筒状体である。第３糸巻体６３は、第２糸巻体６２の外周面に装着可能な糸巻体である。各半筒体６１ａ〜６３ａ，６１ｂ〜６３ｂの割部分には、凹凸嵌合部６１ｃ〜６３ｃ，６１ｄ〜６３ｄが形成されており、両半筒体６１ａ〜６３ａ，６１ｂ〜６３ｂが径方向に位置決めされるように構成されている。
【００６８】
ここで、たとえば、スプール１０が４号の釣り糸を４００ｍ、５号３５０ｍ、６号３３０ｍ、８号２５０ｍ巻き付け可能であるとする。この場合、第１糸巻体６１体積及び形状は、５号の釣り糸を５０ｍ分スプール１０に巻き付けたときと実質的に同じ体積及び形状となるように形成されている。第１糸巻体６１に第２糸巻体６２を装着したときの筒状体の体積及び形状は、６号の釣り糸を３０ｍ分スプール１０に巻き付けたときと同じ体積及び形状となるように形成されている。さらにその上に第３糸巻体６３を装着したときの筒状体の体積及び形状は、８号の釣り糸を５０ｍ分スプール１０に巻き付けたときと同じ体積及び形状となるように形成されている。ここで、４号以外の釣り糸をスプール１０に装着する際に糸巻胴部１０ａに直接釣り糸を巻き付ける場合には、５号で５０ｍ、６号で３０ｍ、８号で５０ｍの端数がでるため、１００ｍ単位で売られている釣り糸を余分に購入してそれを切断して使用しなければならない。しかし、上記のような糸巻補助具６０を用いると、それぞれ糸巻可能径まで１００ｍ単位で釣り糸を巻き付けることができるので、釣り糸を余分に購入する必要がなくなる。
【００６９】
しかも、上記電動リールを使用すれば、指定モードで号数が設定されている釣り糸（たとえば５号）の場合、スプール１０に巻き付けるだけで水深表示用のデータをセットできる。
【００７０】
＜第２実施形態＞
前記第１実施形態では、筒状体で糸巻補助具を構成したが、図１３に示すように、糸状体で糸巻補助具７０を構成してもよい。この糸状体は、たとえば、最大長さが８号の釣り糸を５０ｍスプールに巻き付けたときと同じ体積及び形状となるような長さである。しかも、上記（ａ）に示したスプールのように５号５０ｍ、６号で３０ｍ、８号で５０ｍというように端数が出る場合にも対応できるように、糸状体に順に太さと長さがわかる２つの目印７０ａ，７０ｂを付してある。これにより、目印７０ａまで巻き付けると５号５０ｍ、さらに目印７０ｂまで巻き付けると６号３０ｍ、さらに最後まで巻き付けると８号５０ｍとそれぞれ同じ体積及び形状になることが簡単にわかり、スプール１０に釣り糸を、煩わしい準備作業を行わなくても端数を出さないように簡単に巻き付けることができるようになる。
【００７１】
〔他の実施例〕
（ａ）  電動リールに代えて、水深表示機構を有する手巻きリールにも本発明を適用できる。
【００７２】
（ｂ）  前記実施形態では、所定距離の巻取を行って学習し、その計算式のパラメータを記憶部に記憶するようにしているが、釣り糸全長にわたって学習し、スプール回転数と糸長との関係をたとえばマップ形式で記憶する電動リールにも本発明に係る糸巻補助具は有効である。
【００７３】
（ｃ）  前記実施形態では、指定モードで糸巻補助具を使用するようにしたが、下巻モードで糸巻補助具を使用してもよい。
【００７４】
【発明の効果】
本発明に係る釣り用リールの糸巻補助具では、差分釣り糸で端数を吸収するようにすれば、新たに巻き付ける釣り糸の長さがたとえば１００ｍ単位であっても、スプールの糸巻可能径まで釣り糸を巻き付けることができる。このため、水深表示可能な釣り用リールのスプールの糸巻可能径まで釣り糸を、煩わしい準備作業を行わなくても端数を出さないように簡単に巻き付けることができるようになる。
【図面の簡単な説明】
【図１】  本発明の一実施形態による糸巻補助具の分解斜視図。
【図２】  その糸巻補助具が装着される電動リールの平面図。
【図３】  その断面図。
【図４】  水深表示部の平面図。
【図５】  制御系の構成を示すブロック図。
【図６】  スプール回転数とスプール１回転当たりの糸長との関係を示すグラフ。
【図７】  メインルーチンを示すフローチャート。
【図８】  キー入力サブルーチンを示すフローチャート。
【図９】  糸巻モードサブルーチンを示すフローチャート。
【図１０】  糸巻モードサブルーチンを示すフローチャート。
【図１１】  各動作モードサブルーチンを示すフローチャート。
【図１２】  他の実施形態による糸巻補助具の分解斜視図。
【図１３】  さらに別の実施形態による糸巻補助具の斜視図。
【符号の説明】
１０  スプール
１０ａ  糸巻胴部
１０ｂ  フランジ部
５０，６０，７０  糸巻補助具
６１〜６３  第１〜第３糸巻体
７０ａ，７０ｂ  目印
【図１】
0004039743.tif 000002
【図２】
0004039743.tif 000003
【図３】
0004039743.tif 000004
【図４】
0004039743.tif 000005
【図５】
0004039743.tif 000006
【図６】
0004039743.tif 000007
【図７】
0004039743.tif 000008
【図８】
0004039743.tif 000009
【図９】
0004039743.tif 000010
【図１０】
0004039743.tif 000011
【図１１】
0004039743.tif 000012
【図１２】
0004039743.tif 000013
【図１３】
0004039743.tif 000014